(57)【要約】【課題】熱湯を注いで喫食する即席のラーメンやスープや味噌汁などを収容する、また電子レンジで加熱して喫食する色々な即席食品を収容する、店頭での展示効果などや廃棄時の処理処分に問題がない、断熱性が優れたパルプモウルド( Pulp mould；製紙原料で形作った )紙容器を提供する。【解決手段】本発明は、上面を開放した逆円錐台カップ状や直方体トレー状などの、断熱性が優れたパルプモウルド紙容器２であって、この紙容器２の内面側に、耐水性や熱融着性などを有する内面保護層３を設けて、また紙容器２の胴部の外面側に、表面に美麗な印刷をした紙製外カバー４を装着したパルプモウルド紙容器である。【選択図】図１
2005096790.tif 000002
【特許請求の範囲】
【請求項１】
上面を開放した逆円錐台カップ状や直方体トレー状などの、断熱性が優れたパルプモウルド紙容器２であって、この紙容器２の内面側に、耐水性や熱融着性などを有する内面保護層３を設けて、また紙容器２の胴部の外面側に、表面に美麗な印刷をした紙製外カバー４を装着したことを特徴とするパルプモウルド紙容器。
【請求項２】
請求項１に記載のパルプモウルド紙容器において、紙容器２の内面側に、耐水性や熱融着性などを有する生分解性の内面保護層３を設けたことを特徴とするパルプモウルド紙容器。
【請求項３】
請求項１又は請求項２に記載のパルプモウルド紙容器において、紙容器２の胴部の外面側に、表面に美麗な印刷をして、梨地状や縦波状などの浮上げ加工をした紙製外カバー４を装着したことを特徴とするパルプモウルド紙容器。
【発明の詳細な説明】
【技術分野】
【０００１】
本発明は、熱湯を注いで喫食する即席のラーメンやスープや味噌汁などを収容する、また電子レンジで加熱して喫食する色々な即席食品を収容する、店頭での展示効果などや廃棄時の処理処分に問題がない、断熱性が優れたパルプモウルド( Pulp mould；製紙原料で形作った )紙容器に関する。
【背景技術】
【０００２】
従来から、熱湯を注いで喫食する即席のラーメンやスープや味噌汁などを収容する、また電子レンジで加熱して喫食する色々な即席食品を収容する、例えば図３に示すような、容器５の胴部の外面側に、表面に美麗な印刷をした紙製外カバー６を装着した、上面を開放した逆円錐台カップ状や直方体トレー状など( 図３ではカップ状 )の、断熱性が優れた発泡スチロール容器５が、一般に広く用いられている。
【０００３】
また従来から、熱湯を注いで喫食する即席のラーメンやスープや味噌汁などを収容する、また電子レンジで加熱して喫食する色々な即席食品を収容する、例えば図４に示すような、容器７の胴部の外面側に、断熱性が優れたパルプモウルド紙カバー８を装着した、上面を開放した逆円錐台カップ状の、通常の内面側にポリエチレン層などを積層した紙材料( カップ原紙と言う )製の、廃棄時の処理処分が容易な紙カップ容器７が、一般に広く用いられている。
【特許文献１】特開２００３−４０３５９号公報
【特許文献２】特開２０００−２１９２７９号公報
【発明の開示】
【発明が解決しようとする課題】
【０００４】
ところが従来の、図３に示す発泡スチロール容器５については、この容器５の胴部の外面側に、表面に美麗な印刷をした紙製外カバー６を装着したことによって、店頭での展示効果などに問題がない、断熱性が優れた発泡スチロール容器５であるものの、熱湯を注いで喫食した後に、また電子レンジで加熱して喫食した後に、同時に処理できない発泡スチロール容器５から、紙製外カバー６を分離して処理する必要があるために、廃棄時の処理処分にやゝ問題があった。
【０００５】
また従来の、図４に示す紙カップ容器７については、この容器７の胴部の外面側に、断熱性が優れたパルプモウルド紙カバー８を装着したことによって、熱湯を注いで喫食する時に、また電子レンジで加熱して喫食する時に、指が熱くなるなどの問題がない、廃棄時の処理処分が容易な紙カップ容器７であるものの、断熱性が優れたパルプモウルド紙カバー８の表面に、美麗な印刷をすることができないために、店頭での展示効果などに問題があった。
【０００６】
そこで、本願の発明者らは、最近の地球環境に係る廃棄物処理問題に関連して、前述した断熱性が優れた発泡スチロール容器５に替えて、生玉子や高級果物や機械部品などの包装緩衝材として、資源再利用のために広く用いられている、断熱性が優れたパルプモウルド紙材料を活用することに着目して、試行錯誤を繰返した結果、本願のパルプモウルド紙容器の発明に到ったものである。
【０００７】
すなわち、本発明の目的は、熱湯を注いで喫食する即席のラーメンやスープや味噌汁な
どを収容する、また電子レンジで加熱して喫食する色々な即席食品を収容する、店頭での展示効果などや廃棄時の処理処分に問題がない、断熱性が優れたパルプモウルド紙容器を提供することにある。
【課題を解決するための手段】
【０００８】
本発明のパルプモウルド紙容器は、図１ ,図２に示すように、上面を開放した逆円錐台カップ状( 図１を参照 )や直方体トレー状( 図２を参照 )などの、断熱性が優れたパルプモウルド紙容器２であって、この紙容器２の内面側に、耐水性や熱融着性などを有する内面保護層３を設けて、また紙容器２の胴部の外面側に、表面に美麗な印刷をした紙製外カバー４を装着したことを特徴とするパルプモウルド紙容器である。
【０００９】
本発明のパルプモウルド紙容器においては、上面を開放した逆円錐台カップ状や直方体トレー状などの、後述する断熱性が優れたパルプモウルド紙容器２であって、この紙容器２の内面側に、耐水性や熱融着性などを有する内面保護層３を設けたことによって、即席のラーメンやスープや味噌汁などや色々な即席食品を安全に収容して、図示していない適宜の蓋材を熱融着して閉蓋することができる、また紙容器２の胴部の外面側に、表面に美麗な印刷をした紙製外カバー４を装着したことによって、店頭での展示効果などに問題がない、熱湯を注いで喫食した後に、また電子レンジで加熱して喫食した後に、そのまま焼却するなどして処分することができる、断熱性が優れたパルプモウルド紙容器を提供することができる。
【００１０】
また、本発明のパルプモウルド紙容器は、前述した図１ ,図２に示すパルプモウルド紙容器において、紙容器２の内面側に、耐水性や熱融着性などを有する生分解性の内面保護層３を設けたことを特徴とするパルプモウルド紙容器である。
【００１１】
本発明のパルプモウルド紙容器においては、紙容器２の内面側に、耐水性や熱融着性などを有する生分解性の内面保護層３を設けたことによって、即席のラーメンやスープや味噌汁などや色々な即席食品を安全に収容して、図示していない適宜の蓋材を熱融着して閉蓋することができることに加えて、キャンプ場などで熱湯を注いで喫食した後に、そのまま土中に埋めるなどして処分することができる、地球の環境に優しいパルプモウルド紙容器を提供することができる。
【００１２】
さらに、本発明のパルプモウルド紙容器は、前述した図１ ,図２に示すパルプモウルド紙容器において、紙容器２の胴部の外面側に、表面に美麗な印刷をして、図示していない梨地状や縦波( コルゲートと言う )状などの浮上げ加工をした紙製外カバー４を装着したことを特徴とするパルプモウルド紙容器である。
【００１３】
本発明のパルプモウルド紙容器においては、紙容器２の胴部の外面側に、表面に美麗な印刷をして、梨地状や縦波状などの浮上げ加工をした紙製外カバー４を装着したことによって、店頭での展示効果などに問題がないことに加えて、梨地状や縦波状などの、独特の浮上げ加工の展示効果が得られるとともに、独特の浮上げ加工の感触で指が熱くなることがない、さらに断熱性が優れたパルプモウルド紙容器を提供することができる。
【発明の効果】
【００１４】
以上、本発明のパルプモウルド紙容器においては、熱湯を注いで喫食する即席のラーメンやスープや味噌汁などを安全に収容して、また電子レンジで加熱して喫食する色々な即席食品を安全に収容して、適宜の蓋材を熱融着して閉蓋することができる、店頭での展示効果などに問題がない、廃棄時には、そのまま焼却するなどして処分することができる、断熱性が優れたパルプモウルド紙容器を提供することができる。
【発明を実施するための最良の形態】
【００１５】
本発明のパルプモウルド紙容器における、断熱性が優れたパルプモウルド(Pulp mould)紙容器２については、従来の生玉子や高級果物や機械部品などの包装緩衝材と同様であって、資源再利用のために集められた、通常の古紙を水中に懸濁溶解させて精製した製紙原料液を用いて、カップ状やトレー状などの金型に吹付けて乾燥して形作る、工程が簡単な湿式法( 実施例１を参照 )によって、また一旦パルプモウルドボードに形作ってカップ状やトレー状などに真空圧空成形する、効率が優れた乾式法( 実施例２を参照 )によって、紙繊維の間に充分な空隙を有する２００〜３００ｇ／ｍ2(厚さ1.0-1.5mm)程度の、図１ ,図２に示す上面を開放した逆円錐台カップ状や直方体トレー状などの、断熱性が優れたパルプモウルド紙容器２を作製することができる。
【００１６】
また、本発明のパルプモウルド紙容器における、耐水性や熱融着性などを有する内面保護層３については、耐水性や熱融着性などを有する耐熱ラッカーやポリエチレン樹脂やポリプロピレン樹脂やポリエステル樹脂などを用いて、耐熱ラッカーやポリエチレン樹脂などを有機溶剤に溶解して、紙容器２の内面側に吹付けて乾燥する方法( 実施例１を参照 )によって、またシート状のポリプロピレン樹脂やポリエステル樹脂などを真空圧空成形して、紙容器２の内面側に要所を貼着する方法( 実施例２を参照 )によって、図１ ,図２に示す上面を開放した逆円錐台カップ状や直方体トレー状などの、前述した断熱性が優れたパルプモウルド紙容器２の内面側に、３０〜１８０μｍ程度の耐水性や熱融着性などを有する内面保護層３を設けることができる。
【００１７】
加えて、本発明のパルプモウルド紙容器における、耐水性や熱融着性などを有する生分解性の内面保護層３については、黴や酵母や細菌などの微生物によって分解する、包装材料用として最低必要な耐水性と熱融着性とを有する、でんぷん系やポリエステル(PET )系やポリ乳酸(PLA )系などの市販の生分解性樹脂を用いて、なかでも水蒸気遮断性を有する微生物合成系のポリヒドロキシブチレート(PHB )又はポリヒドロキシブチレート-ヴァリレート(P(3HB-3HV))を用いて、前述した有機溶剤に溶解して吹付けて乾燥する方法によって、また前述した真空圧空成形して要所を貼着する方法によって、同様に断熱性が優れたパルプモウルド紙容器２の内面側に、３０〜１８０μｍ程度の耐水性や熱融着性などを有する生分解性の内面保護層３を設けることができる。
【００１８】
さらに、本発明のパルプモウルド紙容器における、表面に美麗な印刷をした紙製外カバー４については、表面に美麗な印刷をし( て、加えて梨地状や縦波状などの浮上げ加工をし )た、８０〜３１０ｇ／ｍ2 程度の片面アート紙やコートボール紙などを用いて、扇形状に切断して、端部どうしを筒状に貼着する方法( 実施例１を参照 )によって、またテープ状に切断して、そのまま紙容器２に巻付ける方法( 実施例２を参照 )によって、図１ ,図２に示す上面を開放した逆円錐台カップ状や直方体トレー状などの、前述した断熱性が優れたパルプモウルド紙容器２の胴部の外面側に、表面に美麗な印刷をした、店頭での展示効果などが優れた紙製外カバー４を、要所又は全面を貼着するなどして装着することができる。
【実施例１】
【００１９】
図１Ａ ,Ｂは、本発明の実施例１における、パルプモウルド紙容器の斜視図 ,断面説明図であって、図１Ｃは、パルプモウルド紙容器の部分拡大断面図である。
【００２０】
すなわち、通常の古紙を水中に懸濁溶解させて精製した製紙原料液を用いて、図示していないカップ状の金型の外面側に吹付けて乾燥して、紙繊維の間に充分な空隙を有する２４０ｇ／ｍ2(平均厚さ1.2mm)の、口径が９５ｍｍφで深さが６０ｍｍの内面が比較的平坦な上面を開放した逆円錐台カップ状の、図１Ａ ,Ｂに示す断熱性が優れたパルプモウルド紙容器２を作製した。
【００２１】
次に、食品衛生的にも焼却処分にも問題がない、耐水性や熱融着性などを有する市販の水系エマルジョン( 中央理化製アクアテックス )を用いて、この水性エマルジョンをアルコール系の有機溶剤に溶解して、比較的平坦な紙容器２の内面側に吹付けて乾燥して、前述した上面を開放した逆円錐台カップ状の、断熱性が優れたパルプモウルド紙容器２の内面側に、平均厚さ１００μｍの、図１Ｂ ,Ｃに示す耐水性や熱融着性などを有する内面保護層３を設けた。
【００２２】
続いて、表面に美麗な印刷をした２７０ｇ／ｍ2 のコートボール紙を用いて、図示していない扇形状に周辺を切断して、この扇形状の端部どうしを貼着して、図１Ａ ,Ｂに示す上下面を開放した逆円錐台筒状の紙製外カバー４を作製した後に、図１Ｂ ,Ｃに示すように、前述した上面を開放した逆円錐台カップ状の、断熱性が優れたパルプモウルド紙容器２の胴部の外面側に、表面に美麗な印刷をした、店頭での展示効果などが優れた紙製外カバー４を、要所を貼着して装着した。
【００２３】
本実施例１のパルプモウルド紙容器においては、上面を開放した逆円錐台カップ状の、断熱性が優れたパルプモウルド紙容器２の内面側に、平均厚さ１００μｍの耐水性や熱融着性などを有する内面保護層３を設けたことによって、熱湯を注いで喫食する即席のラーメンやスープや味噌汁などを安全に収容して、適宜の蓋材を熱融着して閉蓋することができる、また上面を開放した逆円錐台カップ状の、断熱性が優れたパルプモウルド紙容器２の胴部の外面側に、表面に美麗な印刷をした２７０ｇ／ｍ2 の紙製外カバー４を装着したことによって、店頭での展示効果などに問題がない、熱湯を注いで喫食した後に、そのまま焼却するなどして処分することができる、断熱性が優れたパルプモウルド紙容器を得ることができた。
【実施例２】
【００２４】
図２Ａ ,Ｂは、本発明の実施例２における、パルプモウルド紙容器の斜視図 ,断面説明図であって、図２Ｃは、パルプモウルド紙容器の部分拡大断面図である。
【００２５】
すなわち、紙繊維の間に充分な空隙を有する２７５ｇ／ｍ2(厚さ1.3mm)の乾式エアロイド法でシート状あるいは巻き取り状にされた、パルプシート（王子キノクロス製）を用いて、通常の上下熱プレス方法で、縦と横と深さとが７５×６０×３０ｍｍの上面を開放した直方体トレー状の、図２Ａ ,Ｂに示す断熱性が優れたパルプモウルド紙容器２を作製した。
【００２６】
このとき、プレス金型クリアランスは約３５０μｍ、金型温度１７０度、型締め力約２０ｔでプレス成型を行い、紙容器を作成した。
【００２７】
次に、焼却処分に問題がない通常のポリプロピレン樹脂シートを用いて、通常の真空圧空成形方法で、紙容器２の内面形状と同じトレー状の内面保護層３を成形して、前述した上面を開放した直方体トレー状の、断熱性が優れたパルプモウルド紙容器２の内面側に、平均厚さ１２０μｍの、図２Ｂ ,Ｃに示す耐水性や熱融着性などを有する内面保護層３を、要所を貼着して設けた。
【００２８】
続いて、表面に美麗な印刷をした１０５ｇ／ｍ2 の片面アート紙を用いて、図示していない扇形テープ状に周辺を切断して、図２Ａ ,Ｂに示すように、そのまま紙容器２の胴部に巻付けて、図２Ｂ ,Ｃに示すように、前述した上面を開放した直方体トレー状の、断熱性が優れたパルプモウルド紙容器２の胴部の外面側に、表面に美麗な印刷をした、店頭での展示効果などが優れた紙製外カバー４を、全面を貼着して装着した。
【００２９】
本実施例２のパルプモウルド紙容器においては、上面を開放した直方体トレー状の、断熱性が優れたパルプモウルド紙容器２の内面側に、平均厚さ１２０μｍの耐水性や熱融着性などを有する内面保護層３を設けたことによって、電子レンジで加熱して喫食する色々な即席食品を安全に収容して、適宜の蓋材を熱融着して閉蓋することができる、また上面を開放した直方体トレー状の、断熱性が優れたパルプモウルド紙容器２の胴部の外面側に、表面に美麗な印刷をした１０５ｇ／ｍ2 の紙製外カバー４を装着したことによって、店頭での展示効果などに問題がない、電子レンジで加熱して喫食した後に、そのまま焼却するなどして処分することができる、断熱性が優れたパルプモウルド紙容器を得ることができた。
【産業上の利用可能性】
【００３０】
特になし。
【図面の簡単な説明】
【００３１】
【図１】本発明の実施例１における、図１Ａ ,Ｂは、パルプモウルド紙容器の斜視図 ,断面説明図であって、図１Ｃは、パルプモウルド紙容器の部分拡大断面図である。
【図２】本発明の実施例２における、図２Ａ ,Ｂは、パルプモウルド紙容器の斜視図 ,断面説明図であって、図２Ｃは、パルプモウルド紙容器の部分拡大断面図である。
【図３】従来の、断熱性が優れた発泡スチロール容器５の断面説明図である。
【図４】従来の、廃棄時の処理処分が容易な紙カップ容器７の断面説明図である。
【符号の説明】
【００３２】
２      …パルプモウルド紙容器
３      …内面保護層
４ ,６  …紙製外カバー
５      …発泡スチロール容器
７      …紙カップ容器
８      …パルプモウルド紙カバー
【図１】
2005096790.tif 000003
【図２】
2005096790.tif 000004
【図３】
2005096790.tif 000005
【図４】
2005096790.tif 000006